(57)【要約】【課題】オイルジェットが流入するオイル穴が空けられているピストンにおいて、オイル穴にオイルジェットを流入させて冷却性能をアップさせることを確実化する。【解決手段】ピストン２は、リング溝１１を有する円形部９と、その下面に一体に設けたスカート部１０とを有している。スカート部１０は底面視小判形に形成されていて、板状壁部に、ピストンピンが嵌まるボス穴１５ａを空けている。円形部９には内部凹所２１が形成されており、外部下面１８から内部凹所２１に向けてオイル穴２２が貫通している。オイル穴２２はボス穴１５ａを挟んだ両側のエリアに形成されている。このため、オイルをオイル穴２２に外側から流入させた場合は、オイルが上からピストンピンに当たることはなく、オイルをオイル穴２２に内側から流入させる場合は、オイルジェットがピストンピンに当たることがない。【選択図】図５
2018105254.tif 000002
【特許請求の範囲】
【請求項１】
頂面側に位置して外周にリング溝が形成された円形部と、前記円形部の下面に一体に設けた非円形のスカート部とを有しており、
前記スカート部は、クランク軸線方向から見て左右に分かれた一対の円弧状壁部と、クランク軸線方向から見て前後に分かれた一対の板状壁部とを有しており、前記円弧状壁部の外面は前記円形部の外面と同心になっていて、前記板状壁部は、底面視でクランク軸線と直交した左右方向に長い形態であり、このため、前記スカート部は底面視で略小判型になっており、前記前後の板状壁部に、ピストンピンが貫通するボス穴を形成している一方、
前記円形部の下面は、前記板状壁部の外側に位置した外部下面と、前記スカート部で囲われた内部下面とに分離しており、前記円形部のうちスカート部で囲われた部位は、前記外部下面よりも頂面の側に深く入り込んだ内部凹所に形成されており、このため、前記円形部の外部下面と内部下面とは段違いになっている構成であって、
前記円形部のうち底面視でピストンピンを挟んだ左右両側のエリアに、下方から噴出されたオイルジェットが入り込むオイル穴が、一端は前記外部下面に開口して他端は前記内部凹所に開口した傾斜姿勢で形成されている、
ピストン。
【請求項２】
頂面側に位置して外周にリング溝が形成された円形部と、前記円形部の下面に一体に設けた非円形のスカート部とを有しており、
前記スカート部は、クランク軸線方向から見て左右に分かれた一対の円弧状壁部と、クランク軸線方向から見て前後に分かれた一対の板状壁部とを有しており、前記円弧状壁部の外面は前記円形部の外面と同心になっていて、前記板状壁部は、底面視でクランク軸線と直交した左右方向に長い形態であり、このため、前記スカート部は底面視で略小判型になっており、前記前後の板状壁部に、ピストンピンが貫通するボス穴を形成している一方、
前記円形部の下面は、前記板状壁部の外側に位置した外部下面と、前記スカート部で囲われた内部下面とに分離しており、前記円形部のうちスカート部で囲われた部位は、前記外部下面よりも頂面の側に深く入り込んだ内部凹所に形成されており、このため、前記円形部の外部下面と内部下面とは段違いになっている構成であって、
前記円形部に、前記スカート部で囲われた部位に向けて下方から噴出されたオイルジェットが入り込むオイル穴が、一端は前記外部下面に開口して他端は前記内部凹所に開口した傾斜姿勢で形成されており、前記オイル穴の内部又は前記外部下面に、前記オイル穴にその他端から流入して一端から流出するオイルがシンリダボアの内周に向かわずに下方のオイルパンに流下するように方向付ける制御部を形成している、
ピストン。
【請求項３】
前記円形部の内部下面に、当該内部下面に向けて噴出されたオイルジェットを前記オイル穴の他端に導くガイドリブを形成している、
請求項１又は２に記載したピストン。
【発明の詳細な説明】
【技術分野】
【０００１】
本願発明は、オイルジェットで冷却されるピストンに関するものである。
【０００２】
内燃機関において、シリンダブロックやコンロッドからオイルジェットをピストンに向けて下方から噴出させて、ピストンを冷却することは広く行われている。ピストンは、ピストンピンが嵌まるスカート部を有しており、スカート部で囲われた部位は下向きに開口した空間になっている。そして、オイルジェットは、一般に、スカート部で囲われた空間部に向けて噴出させている。
【０００３】
しかし、オイルジェットを単に空間に噴出させただけでは、冷却性能が十分でない可能性がある。そこで、特許文献１には、ピストンに、オイルジェットが流入するオイル穴を形成して、ピストンの肉部を内部から冷却することが開示されている。
【先行技術文献】
【特許文献】
【０００４】
【特許文献１】実開平３−５６８５２号のマイクロフィルム
【発明の概要】
【発明が解決しようとする課題】
【０００５】
ピストンは、リング溝が形成された円形部と、その下面に一体に設けたスカート部とを有しており、スカート部は、一般に、円形部と同一面を成す円弧状壁と、円形部の外周よりも内側に入り込んだ板状壁部とを有しており、全体として底面視で小判形になっている。従って、円形部の下面は、スカート部における板状壁部の外側に露出した外部下面を有している。また、円形部の下面のうちスカート部で囲われた部位は、頂面の側に入り込んだ内部凹所になっており、従って、円形部の下面のうち内部凹所の底面である内部下面は、外部下面よりも上に入り込んでいる。
【０００６】
そして、特許文献１において、オイル穴は、外側に位置した一端（外部開口）は円形部の外部下面に開口して、内側に位置した他端（内部開口）は、円形部における内部凹所の内側面に開口しているが、底面視では、オイル穴の一端はピストンピンの外側に位置して、オイル穴の他端ピストンの上に位置する姿勢になっている。従って、特許文献１では、オイル穴は、底面視でピストンピンの軸心と交叉する姿勢になっている。
【０００７】
さて、特許文献１において、オイルジェットはオイル穴に対して外側から流入させる場合と内側から流入させる場合とが有り得るが、オイルジェットをシリンダブロックに設けたノズルから噴出させる場合、スカート部で囲われた内側から流入させる方法では、ピストンピンが邪魔になって、オイルジェットをオイル穴に的確に流入させ難く、冷却機能を十分に確保できるか否か疑問であるといえる。
【０００８】
また、オイル穴にオイルを外側から流入させた場合、オイルは、スカート部で囲われた内部においてピストンピンに向けて流下するため、ピストンの上下動によってオイルがミスト化しやすくなって、オイルの消費量が増えてしまうことが懸念される。
【０００９】
更に、オイルを、オイル穴に内側から流入させて外側から排出させる場合、オイル穴が底面視でピストンピンと交叉するように傾斜していることから、オイル穴から噴出したオイルがシリンダボアの内面に付着する傾向を呈して、これまた、オイルの消費量が増えてしまうことが懸念される。
【００１０】
本願発明は、ピストンにオイル穴を設けることは特許文献１と共通しつつ、より改善された形態で提供せんとするものである。
【課題を解決するための手段】
【００１１】
本願発明のピストンは、
頂面側に位置して外周にリング溝が形成された円形部と、前記円形部の下面に一体に設けた非円形のスカート部とを有しており、
前記スカート部は、クランク軸線方向から見て左右に分かれた一対の円弧状壁部と、クランク軸線方向から見て前後に分かれた一対の板状壁部とを有しており、前記円弧状壁部の外面は前記円形部の外面と同心になっていて、前記板状壁部は、底面視でクランク軸線と直交した左右方向に長い形態であり、このため、前記スカート部は底面視で略小判型になっており、前記前後の板状壁部に、ピストンピンが貫通するボス穴を形成している一方、
前記円形部の下面は、前記板状壁部の外側に位置した外部下面と、前記スカート部で囲われた内部下面とに分離しており、前記円形部のうちスカート部で囲われた部位は、前記外部下面よりも頂面の側に深く入り込んだ内部凹所に形成されており、このため、前記円形部の外部下面と内部下面とは段違いになっている、という基本構成である。
【００１２】
そして、請求項１の発明では、上記基本構成において、前記円形部のうち底面視でピストンピンを挟んだ左右両側のエリアに、下方から噴出されたオイルジェットが入り込むオイル穴が、一端は前記外部下面に開口して他端は前記内部凹所に開口した傾斜姿勢で形成されている。
【００１３】
請求項２の発明は、上記基本構成において、
前記円形部に、前記スカート部で囲われた部位に向けて下方から噴出されたオイルジェットが入り込むオイル穴が、一端は前記外部下面に開口して他端は前記内部凹所に開口した傾斜姿勢で形成されており、前記オイル穴の内部又は前記外部下面に、前記オイル穴にその他端から流入して一端から流出するオイルがシンリダボアの内周に向かわずに下方のオイルパンに流下するように方向付ける制御部を形成している。
【００１４】
制御部は、オイルの勢いを減じるものでもよいし、オイルの流れ方向を下向きに変換させるようなものでもよい。
【００１５】
請求項３の発明では、請求項１又は２において、前記円形部の内部下面に、当該内部下面に向けて噴出されたオイルジェットを前記オイル穴の他端に導くガイドリブを形成している。
【発明の効果】
【００１６】
請求項１の発明では、オイル穴は、底面視でピストンピンを挟んだ外側に位置しているため、オイルをオイル穴に内部から流入させる場合は、ピストンピンに邪魔されることなく、オイルを的確に流入させることができる。従って、オイル穴を設けたことのメリットを享受して、冷却性能を向上できる。
【００１７】
また、オイルをオイル穴に外側から流入させる場合は、スカート部の内部に入り込んだオイルがピストンピンに向けて流下することを防止又は著しく低減できるため、オイルのミスト化も大幅に低減することができる。これにより、オイルの消費量を抑制できる。
【００１８】
オイル穴は、その性質上、ピストンの軸線に対して傾斜した姿勢にならざるを得ない。このため、オイル穴に内部から流入したオイルが外部から排出される場合、既述のとおり、オイルの勢いが強いと、オイルがシリンダボアの内周面に付着する傾向を呈して、オイルの消費量が増大するおそれがある。
【００１９】
これに対して請求項２の構成を採用すると、制御部によってオイルがオイルパンに向かうように制御されるため、シリンダボアの内周面にオイルが大量に付着することを防止して、オイルの消費量を低減できる。
【００２０】
請求項３の構成を採用すると、オイルがガイドリブで集められるため、オイル穴へのオイルの流入を促進して、ピストンの冷却性能を向上できる。また、ガイドリブは補強機能を有するため、ピストンの強度向上にも貢献できる。
【図面の簡単な説明】
【００２１】
【図１】第１実施形態のピストンが組み込まれた内燃機関の縦断正面図である。
【図２】ピストンの底面図である。
【図３】図２のIII-III 視側面図である。
【図４】図２の IV-IV視断面図である。
【図５】図２の V-V視断面図である。
【図６】第２実施形態を示す図である。
【図７】第３実施形態を示す図である。
【図８】第４実施形態の底面図である。
【図９】図８のIX-IX 視断面図である。
【発明を実施するための形態】
【００２２】
(1).第１実施形態の構成
次に、本願発明の実施形態を図面に基づいて説明する。まず、図１〜５に示す第１実施形態を説明する。図１では、シンリダボア１にピストン２が組み込まれたシリンダブロック３を表示している。ピストン２は、下死点まで下降している。以下では、方向を特定するため前後・左右の文言を使用するが、クランク軸線方向を前後方向と定義している。図１，２に、方向を明示している。
【００２３】
図１はクランク軸線方向から見た断面図であり、複数のシンリダボア１が紙面と直交した前後方向に並んでいる。そして、シリンダブロック３のうちシンリダボア１の群を挟んだ一方の側に、オイルが流れるメインギャラリー４がクランク軸線方向に長く延びるように形成されている。メインギャラリー４からは、各シンリダボア１の箇所ごとに下向きの枝通路５が分岐しており、枝通路５に、オイルジェットユニット６を接続している。
【００２４】
オイルジェットユニット６は、シリンダブロック３に装着した本体部７と、本体部７かシンリダボア１の内部に向けて延びるノズル８とを有しており、本体部７には、オイルの圧力が所定値になるとオイルをノズル８に長手リリーフバルブを内蔵している。実施形態では、オイルジェットユニット６は、各シンリダボア１を挟んだ両側に一対ずつ配置されている。従って、シリンダブロック３のうちシンリダボア１の列を挟んでメインギャラリー４と反対側の部位には、メインギャラリー４と同じようにクランク軸線方向に延びる補助ギャラリー（図示せず）が形成されている。
【００２５】
ピストン２は、３段のリング溝１１が形成された円形部９と、円形部９の下端に一体に連接されたスカート部１０とを有している。円形部９の外周面には３段のリング溝１１が形成されており、リング溝１１にはリング（ピストンリングとオイルリング）１２が嵌まっている。
【００２６】
図２から容易に理解できるように、スカート部１０は、クランク軸線方向Ｏから見て左右に分かれた一対の円弧状壁部１３と、クランク軸線方向Ｏから見て前後に分かれた一対の板状壁部１４とを有している。円弧状壁部１３の外周面は、円形部９の外周面と同心の円弧面になっている。図では、円弧状壁部１３の外周面と円形部９の外周面とを同一面に描いているが、実際には、円弧状壁部１３の外周面は円形部９の外周面よりも僅かに大径になっていることが多い。板状壁部１４は、底面視でクランク軸線方向Ｏと直交した左右方向に長い形態になっている。従って、スカート部１０は、底面視で略小判型になっている。
【００２７】
前後の板状壁部１４には厚肉のボス部１５が形成されており、ボス部１５に、ピストンピン１６が貫通するボス穴１５ａを形成している。コンロッド１７の上端部はスカート部１０の内部に位置しており、ピストンピン１６が挿通されている。
【００２８】
スカート部１０が小判形であることに起因して、円形部９の下面は、板状壁部１４の外側に位置した外部下面１８と、スカート部１０で囲われた内部に位置した内部下面１９とに分離している。また、円形部９のうちスカート部１０で囲われた部位は、外部下面１８よりも頂面２０の側に深く入り込んだ内部凹所２１に形成されており、内部凹所２１の底面が内部下面１９になっている。従って、円形部９の外部下面１８と内部下面１９とは段違いになっている。
【００２９】
そして、円形部９のうち底面視でピストンピン１６を挟んだ左右両側のエリアに、下方から噴出されたオイルジェットが入り込むオイル穴２２が、前後一対ずつ形成されている。各オイル穴２２は、その一端（外側開口）２２ａは外部下面１８に開口して、他端（内側開口）２２ｂは、内部凹所２１の内側面に開口しており、従って、ピストン２の軸線に対して傾斜した姿勢になっている。各オイル穴２２は、底面視では、ピストンピン１６と略平行な姿勢になっている。
【００３０】
図２、３から容易に理解できるように、板状壁部１４の外面のうちボス部１５を挟んだ左右両側の部位は、円形部９に近づくほど内側に入り込むように傾斜しており、このため、ボス部１５を挟んだ左右両側の部位は抉り込み部２３になっている。このため、円形部９の外部下面１８は、抉り込み部２３の箇所において内側に入り込んだ内向き進入部１８ａを有しており、円形部９の一端２２ａは、外部下面１８の内向き進入部１８ａに形成されている。このため、オイル穴２２は、底面視でピストンピン１６と平行な姿勢にしつつ、リング溝１１との間に十分な間隔を空けることができる。
【００３１】
(2).まとめ
オイル穴２２には、内部からも外部からもオイルジェットを流すことができるが、図５では、オイルジェットをオイル穴２２の一端２２ａから（外部から）流入させる状態を表示している。オイル穴２２は前後一対あるので、オイルジェットユニット６のノズル８は前後に分岐した二股になっており、かつ、ノズル８の先端（上端）は、オイル穴２２に向かうように少し傾斜させている。
【００３２】
二股状のノズル８を使用せずに、一方のオイル穴２２に外側から入ったオイルを、他方のオイル穴２２に内側から流入させることも可能である。また、オイルをオイル穴２２に内部から流す場合は、ノズル８の上端部が、下死点においてスカート部１０で囲われた空間に入り込むように設定したらよい。オイルをオイル穴２２に内側から流入させる場合、１本のノズル８でオイルジェットを円形部９の内部下面１９に噴出させてもよい。この場合は、オイルジェットは内部下面１９で左右二手に分かれて、左右のオイル穴２２に流入する。
【００３３】
オイル穴２２にオイルジェットが外部から流入する場合は、オイルはスカート部１０で囲われた空間から下方に流下してオイルパン（図示せず）に落ちるが、オイル穴２２の他端２２ｂは底面視でピストンピン１６の左右両側に開口しているため、流れ落ちたオイルがピストンピン１６に当たることは殆どない。従って、オイルのミスト化を防止して、オイルの消費量増大を防止できる。
【００３４】
オイルをオイル穴２２に内側から流入させる場合も、ピストンピン１６に邪魔されることなくオイル穴２２に他端にオイルジェットを向けることができるため、オイルがオイル穴２２に流れ込むことを確実化できる。従って、ピストン２の冷却性能を向上できる。
【００３５】
本実施形態では、オイル穴２２の一端２２ａは、外部下面１８の内向き進入部１８ａに形成しているが、外部下面１８の内向き進入部１８ａの箇所では板状壁部１４は抉り込み部２３になっているため、オイル穴２２に外側から実施形態を流入させる場合は、抉り込み部２３が、オイルをオイル穴２２に誘い込むガイド作用を果たすことができる。
【００３６】
(3).他の実施形態
次に、図６以下に示す他の実施形態を説明する。図６の第２実施形態では、オイルはオイル穴２２に内側から（他端２２ｂから）流入して、外側から（一端２２ａから）排出されるが、請求項に記載した制御部の一例として、オイル穴２２のうち一端寄り部位を大径部２２ｃに形成している。このように構成すると、オイルは流速を低下させてオイル穴２２から排出されるため、オイルがシンリダボア１の内周面に付着することなく、下方のオイルパンに流下する。これにより、オイルの消費を抑制できる。
【００３７】
このピストン２はアルミを素材としてダイキャストで製造されている。すなわち、ダイキャスト用の金型は、頂面２０を形成する第１金型２５と、外周面を形成する２つの第２金型２６と、内部を形成する第３金型２７とを主要金型としており、２つの第２金型を離反させると共に第３金型２７を抗体させることにより、型抜きを行える。そして、第２金型２６に、オイル穴２２を形成するための鋳抜きピン２８を摺動自在に取り付けている。型抜きに際しては、鋳抜きピン２８を後退させる。
【００３８】
従って、後加工（ドリル加工）を要することなく、オイル穴２２を形成することができて、それだけ製造コストを抑制できる。この製造方法は、第１実施形態及び他の実施形態にもそのまま適用できる。
【００３９】
図７に示す第３実施形態では、制御部として、オイル穴２２の外部下面１８に、オイルを下方に案内する規制リブ２９を形成している。この規制リブ２９も、鋳抜きピンによって形成できる。規制リブ２９のような制御部は、後付けで設けることも可能である。後付けの場合は型抜きのことは考慮する必要がないので、一点鎖線で示すように、下向きに垂下した規制板３０を設けることも可能である。このような規制板３０を設けると、オイルがシンリダボア１の内周面に付着することを確実に防止できる。
【００４０】
なお、第２実施形態や第３実施形態では、オイル穴２２に外側からオイルジェットを流入させることも可能であり、この場合は、大径部２２ｃや規制リブ２９を、オイルジェットをオイル穴２２に誘い込むガイド手段として機能させることができる。図７に矢印で示すように、一方のオイル穴２２に外側からオイルジェットを流入させて、一方のオイル穴２２から排出されたオイルを、他方のオイル穴２２に内側から流入させることもできる。この場合は、オイルジェットユニット６は、シンリダボア１の片側のみに配置したらよい。
【００４１】
図８に示す第４実施形態では、円形部９の内部下面１９に、オイルをオイル穴２２に誘い込むガイドリブ３１が形成されている。ガイドリブ３１は、各オイル穴２２に対応して２対ずつ形成している。ガイドリブ３１は補強機能を有するため、ピストン２の強度アップにも貢献できる。このようにガイドリブ３１を設けることは、第２実施形態や第３実施形態にも適用できる。
【００４２】
以上、本願発明の実施形態を説明したが、本願発明は、他にも様々に具体化できる。例えば、オイル穴は必ずしも左右一対ずつ形成する必要はないのであり、例えば、排気側の箇所だけに設けることも可能である。また、オイルジェットはコンロッドから噴出させることも可能である。
【産業上の利用可能性】
【００４３】
本願発明は、実際に内燃機関のピストンに具体化できる。従って、産業上利用できる。
【符号の説明】
【００４４】
Ｏ  クランク軸線方向
１  シンリダボア
２  ピストン
３  シリンダブロック
４  メインギャラリー
６  オイルジェットユニット
８  ノズル
９  円形部
１０  スカート部
１１  リング溝
１２  リング
１３  円弧状壁部
１４  板状壁部
１５ａ  ボス穴
１６  ピストンピン
１７  ボス穴
１８  外部下面
１９  内部下面
２０  頂面
２１  内部凹所
２２  オイル穴
２２ａ  一端（外部開口）
２２ｂ  他端（内部開口）
２２ｃ  制御部の一例としての大径部
２５，２６，２７  ダイキャスト用金型
２８  鋳抜きピン
２９  制御部の一例としての規制リブ
３１  ガイドリブ
【図１】
2018105254.tif 000003
【図２】
2018105254.tif 000004
【図３】
2018105254.tif 000005
【図４】
2018105254.tif 000006
【図５】
2018105254.tif 000007
【図６】
2018105254.tif 000008
【図７】
2018105254.tif 000009
【図８】
2018105254.tif 000010
【図９】
2018105254.tif 000011